(57)【特許請求の範囲】
【請求項１】
身体に着用される筒状編成体を縫い糸とゴム糸及び／又は弾性糸とでもって編成するにあたり、
筒状体（１０、２０、３０）を編成し、その端部（１０Ａ、２０Ａ、３０Ａ）を弾性による伸縮性のない縫い糸（１５）と弾性による伸縮性のあるゴム糸（１６）又は弾性糸とを用いてオーバーミシンによって縫い糸（１５）が繰り返し矩形状をなしゴム糸（１６）又は弾性糸が繰り返し矩形状の縫い糸（１５）の間に掛け渡される編み組織に縫製した後、オーバーミシン縫製した端部に対して、弾性による伸縮性のない縫い糸（１５）と弾性による伸縮性のあるゴム糸（１６）とを用いてハマグリ縫いミシンによって縫い糸（１５）が繰り返し三角形状をなしゴム糸（１６）が三角形状の縫い糸（１５）の間に掛け渡される編み組織にハマグリ縫製するようにしたことを特徴とする筒状編成体の編成方法。
【請求項２】
連続した筒状に編成して折り返すことにより外層及び内層の二重構造となし、この二重構造の筒状体（１０）の端部（１０Ａ）に対してオーバーミシンによる縫製とハマグリ縫いミシンによる縫製を行うようにした請求項１記載の筒状編成体の編成方法。
【請求項３】
連続した筒状に編成し、この筒状体（２０、３０）の端部（２０Ａ、３０Ａ）に対してオーバーミシンによる縫製とハマグリ縫いミシンによるハマグリ縫製を行うようにした請求項１記載の筒状編成体の編成方法。
【請求項４】
縫い糸とゴム糸及び／又は弾性糸とでもって編成され、身体に着用される筒状編成体において、
編成された筒状体（１０、２０、３０）の端部（１０Ａ、２０Ａ、３０Ａ）が弾性による伸縮性のない縫い糸（１５）と弾性による伸縮性のあるゴム糸（１６）又は弾性糸とを用いてオーバーミシンによって縫い糸（１５）が繰り返し矩形状をなしゴム糸（１６）又は弾性糸が繰り返し矩形状の縫い糸（１５）の間に掛け渡される編み組織に縫製され、このオーバーミシン縫製された端部に対して、弾性による伸縮性のない縫い糸（１５）と弾性による伸縮性のあるゴム糸（１６）とを用いてハマグリ縫いミシンによって縫い糸（１５）が繰り返し三角形状をなしゴム糸（１６）が三角形状の縫い糸（１５）の間に掛け渡されるハマグリ縫製されていることを特徴とする筒状編成体。
【請求項５】
連続した筒状に編成され折り返されて外層及び内層の二重構造に構成され、この二重構造の筒状体（１０）の端部（１０Ａ）に対してオーバーミシンによる縫製とハマグリ縫いミシンによる縫製とがなされている請求項４記載の筒状編成体。
【請求項６】
連続した筒状に編成され、この筒状体（２０、３０）の端部に対してオーバーミシンによる縫製とハマグリ縫いミシンによるハマグリ縫製とがなされている請求項４記載の筒状編成体。
【発明の詳細な説明】
【技術分野】
【０００１】
この発明はサポーターや靴下等の筒状編成体及びその編成方法に関し、特に窮屈な装着感を感じることなく、しかも長時間が経過しても履口側端部の弾性力が弱ってしまうことがなく、握力の弱い老人や病人にも履きやすい筒状編成体及びその編成方法に関する。
【背景技術】
【０００２】
例えば、サポーターや靴下では平編み、メッシュ編み、パイル編み又はこれらの組合せによって編成し、適度な締め付け力を付与することが行われているが、履口側の端部についてはゴム糸を用いてオーバーミシンによって縫製し、ゴム糸の大きな伸縮弾性によってサポーターや靴下のずり落ちを防止するようにしている（特許文献１、特許文献２、特許文献３）。
【先行技術文献】
【特許文献】
【０００３】
【特許文献１】特許第４４９８８３０号公報
【特許文献２】特開平１０−１６８６０５号公報
【特許文献３】特開平１０−１５８９０３号公報
【発明の開示】
【発明が解決しようとする課題】
【０００４】
しかし、従来のサポーターや靴下では靴下のずれを確実に防止しようとすると、履口側端部の弾性力を大きくする必要があり、長時間にわたって履いていると苦痛を感じる一方、履口側端部の弾性力を小さくすると、窮屈感は解消されるものの、洗濯などを繰り返すと履口側端部のゴム糸が伸びて弾性力が極端に弱くなってしまい、いずれにしても力の弱いユーザー、例えば老人や病人には履き難いという問題があった。
【０００５】
本発明は、かかる問題点に鑑み、窮屈な装着感を感じることなく、しかも長時間が経過しても履口側端部の弾性力が弱ってしまうことがなく、力の弱い老人や病人にも履きやすい筒状編成体及びその編成方法を提供することを課題とする。
【課題を解決するための手段】
【０００６】
そこで、本発明に係る筒状編成体の編成方法は、身体に着用される筒状編成体を縫い糸とゴム糸及び／又は弾性糸とでもって編成するにあたり、筒状体を編成し、その端部を縫い糸とゴム糸又は弾性糸を用いてオーバーミシンによって縫製した後、オーバーミシン縫製した端部に対して、縫い糸とゴム糸とを用いてハマグリ縫いミシンによってハマグリ縫製するようにしたことを特徴とする。
【０００７】
本発明の特徴は履口側端部をオーバーミシンで縫製し、その上からハマグリ縫いミシンでハマグリ縫製するようにした点にある。
【０００８】
これにより、ハマグリ縫製の縫い目の特性から横方向の伸縮が大きく、オーバーミシン縫製のゴム糸又は弾性糸の弾性力を補いつつ、大きな伸びを得ることができる。
【０００９】
その結果、履口側端部のオーバーミシン縫製のゴム糸又は弾性糸の弾性力をそれほど大きくする必要がなく、オーバーミシン縫製のゴム糸又は弾性糸の弾性力とハマグリ縫製のゴム糸の弾性力とによって最適な弾性力を得ることができ、窮屈な装着感を感じることがない。
【００１０】
また、ハマグリ縫製された履口側端部１０Ａは厚くてつかみやすく、しかもハマグリ縫製の縫い目の横方向に大きく伸びる特性により、履口側端部１０Ａを少しの力で大きく拡げることができ、力の弱い老人や病人にも履きやすい。
【００１１】
筒状編成体にはサポーターや靴下を挙げることができる。例えば、連続した筒状に編成して折り返すことにより外層及び内層の二重構造となし、この二重構造の筒状体、例えばサポーターの端部に対してオーバーミシンによる縫製とハマグリ縫いミシンによるハマグリ縫製を行うことができる。
【００１２】
また、連続した筒状に編成し、この筒状体、例えば一重構造のサポーターや靴下の履口側の端部に対してオーバーミシンによる縫製とハマグリ縫いミシンによる縫製を行うことができる。
【００１３】
また、上述の方法によって編成された筒状編成体も斬新である。すなわち、本発明に係る筒状編成体は、縫い糸とゴム糸及び／又は弾性糸とでもって編成され、身体に着用される筒状編成体において、編成された筒状体の端部がゴム糸又は弾性糸を用いてオーバーミシンによって縫製され、このオーバーミシン縫製された端部に対して、縫い糸とゴム糸とを用いてハマグリ縫いミシンによってハマグリ縫製されていることを特徴とする。
【００１４】
具体的には、筒状編成体は、連続した筒状に編成され折り返されて外層及び内層の二重構造に構成され、この二重構造の筒状体の端部に対してオーバーミシンによる縫製とハマグリ縫いミシンによる縫製とがなされることができる。
【００１５】
また、筒状編成体は、連続した筒状に編成され、この筒状体の端部に対してオーバーミシンによる縫製とハマグリ縫いミシンによる縫製とがなされることができる。
【００１６】
ここで、縫い糸の材質については限定されず、綿糸、綿アクリル混紡糸、毛糸、毛アクリル混紡糸、絹糸、絹アクリル混紡糸等を用いることができるが、特に、縫い糸を綿糸、内層の縫い糸を絹糸とすると、綿糸による優れた吸湿性と、絹糸による優れた吸湿・吸熱性とにより、夏期には着用していて涼しい。
【図面の簡単な説明】
【００１７】
【図１】本発明に係る編成方法によって編成された筒状編成体の好ましい実施形態を示す図である。
【図２】上記実施形態におけるオーバーミシンによる縫い目（ａ）とハマグリ縫いミシンによる縫い目（ｂ）を示す図である。
【図３】上記実施形態におけるハマグリ縫いミシンによる縫製作業を説明するための図である。
【図４】第２の実施形態を示す図である。
【図５】第３の実施形態を示す図である。
【発明を実施するための最良の形態】
【００１８】
以下、本発明を図面に示す具体例に基づいて詳細に説明する。図１ないし図３は本発明に係る筒状編成体の編成方法の好ましい実施形態を示し、これは二重構造のサポーターに適用した例である。図１ないし図３に示されるように、サポーター１０は外層１１と内層１２の二重構造をなし、外層１１及び内層１２は縫い糸とゴム糸又は弾性糸を用い、連続した筒状に編成され、折り返されて外層１１及び内層１２の二重構造に構成される。
【００１９】
ここで、サポーター１０は、例えば縫い糸として１本ないし２本の５番ないし１５番の綿糸を用い、パイル編みのシンカー乗せ編みにて編成されるとともに、下糸として１本の９０番ないし１００番のゴム糸を用いて１目ないし３目飛ばしで編み込まれている。
【００２０】
この二重構造のサポーター１０の履口側端部１０Ａは縫い糸とゴム糸又は弾性糸を用い、オーバーミシンによって縫製され、その上から縫い糸とゴム糸を用い、ハマグリ縫いミシンによってハマグリ縫製がなされている。
【００２１】
ここで、オーバーミシンによる縫い目は図２の（ａ）、ハマグリ縫いミシンによる縫い目は図２の（ｂ）に示し、図において、１４は下糸、１５は上糸（縫い糸）、１６はゴム糸である。
【００２２】
図３はハマグリ縫いミシンによる縫製の仕方を示す。図３の（ａ）に示されるように、２本の上糸（縫い糸）１５と１本のゴム糸１６をカギ針１７に引っ掛け、図３の（ｂ）に示されるように、２本の上糸１５と１本のゴム糸１６をカギ針１７で引くと、図３の（ｃ）に示されるように、下糸１４がカギ針１７から抜けて上糸１５に絡む。
【００２３】
次に、図３の（ｄ）に示されるように、２本の上糸１５を生地１８の下側に通すと、上糸１５が下糸になるので、図３の（ｅ）に示されるように、２本の下糸１５をカギ針１７で引っ掛ける。このとき上糸１４とゴム糸１６はベラの後に残っている。
【００２４】
そして、図３の（ｆ）に示されるように、２本の下糸１５をカギ針１７で引っ張ると、上糸１４がカギ針１７から抜けて下糸１５に絡む。ゴム糸１６はカギ針１７から抜けて上糸１４と同様に下糸１５に絡む。後は同様の手順を繰り返すと、図２の（ｂ）に示されるようなハマグリ縫合の縫い目が得られる。
【００２５】
本例のサポーター１０を編成する場合、編み機を用い、縫い糸とゴム糸又は弾性糸を用い、１本の筒状に編成し、折り返して二重構造とする。この二重構造の筒状体の履口側端部１０Ａを縫い糸とゴム糸又は弾性糸を用い、オーバーミシンによって縫製した後、縫い糸とゴム糸とを用いてハマグリ縫いミシンによってハマグリ縫合を行うと、製品が得られる。
【００２６】
以上のように、履口側端部１０Ａをオーバーミシンで縫製し、その上からハマグリ縫いミシンでハマグリ縫製するようにしたので、ハマグリ縫製の縫い目（図２の（ｂ））の特性から横方向の伸縮が大きく、オーバーミシン縫製のゴム糸又は弾性糸の弾性力を補いつつ、大きな伸びを得ることができる。
【００２７】
その結果、履口側端部１０Ａのオーバーミシン縫製のゴム糸又は弾性糸の弾性力をそれほど大きくする必要がなく、オーバーミシン縫製のゴム糸又は弾性糸の弾性力とハマグリ縫製のゴム糸の弾性力とによって最適な弾性力を得ることができ、窮屈な装着感を感じることがない。
【００２８】
また、ハマグリ縫製の縫い目の横方向に大きく伸びる特性により、履口側端部を少しの力で大きく拡げることができ、力の弱い老人や病人にも履きやすい。
【００２９】
図４は第２の実施形態を示す。本例ではサポーター２０は一重構造をなし、その履口側の端部２０Ａはオーバーミシンで縫製された後、ハマグリ縫いミシンによってハマグリ縫製されている。他方の端部２０Ｂはオーバーミシンで縫製されている。
【００３０】
図５は第３の実施形態を示す。本例では靴下３０のその履口側の端部３０Ａはオーバーミシンで縫製された後、ハマグリ縫いミシンによってハマグリ縫製されている。なお、靴下３０は一重構造、二重構造のいずれであってもよい。
【符号の説明】
【００３１】
１０      サポーター
１０Ａ      履口側端部
１１      外層
１２      内層
２０      サポーター
２０Ａ    履口側端部
３０      靴下
３０Ａ    履口側端部
【図１】
0006359884.tif 000002
【図２】
0006359884.tif 000003
【図３】
0006359884.tif 000004
【図４】
0006359884.tif 000005
【図５】
0006359884.tif 000006